(57)【要約】【課題】抗菌剤の使用量が少なくても十分な抗菌効果を発揮することができ、低コストの吸収性物品を提供する。【解決手段】液体透過性の親水性表面シート２と、高吸水性樹脂を含む吸収層４と、液体不透過性のバックシート６とをこの順で積層してなる吸水性物品本体部２０を備え、さらに、複数の開口部１０ａが形成されているか、又は周囲に比べて繊維量が５０質量％未満の低密度部１２ａが形成されて抗菌剤を含む抗菌活性シート１０、１２を含む、吸収性物品２００である。【選択図】図２
2014158509.tif 000002
【特許請求の範囲】
【請求項１】
液体透過性の親水性表面シートと、高吸水性樹脂を含む吸収層と、液体不透過性のバックシートとをこの順で積層してなる吸水性物品本体部を備え、
さらに、複数の開口部が形成されているか、又は周囲に比べて繊維量が５０質量％未満の低密度部が形成されて抗菌剤を含む抗菌活性シートを含む、吸収性物品。
【請求項２】
前記抗菌活性シートの前記開口部又は前記低密度部の内部に前記吸収層が充填され、前記抗菌活性シートが前記吸収層と一体になっている請求項１記載の吸収性物品。
【請求項３】
前記抗菌活性シートの前記開口部又は前記低密度部の円相当直径が0.5〜80mm2である請求項１又は２に記載の吸収性物品。
【請求項４】
抗菌活性シートの全面積に対する前記開口部又は前記低密度部の面積の割合で定義される開口面積率が10%以上である請求項１〜３のいずれかに記載の吸収性物品。
【発明の詳細な説明】
【技術分野】
【０００１】
この発明は、消臭性に優れた吸収性物品に関する。
【背景技術】
【０００２】
昨今の紙おむつ、軽度失禁製品やペットシーツとして使用される吸収性物品において、消臭機能に対するニーズが非常に高くなっている。消臭機能には二つの機能があり、その一つは活性炭などによる吸着等による一次消臭であり、二つ目は排尿後に時間と共にアンモニアを増加させるアンモニア産生菌等微生物の繁殖を抑制することで達成される二次消臭機能である。二次消臭機能である抗菌性を発現する為には、使用する抗菌活性物質を、対象とする微生物に対する最小阻止濃度以上の濃度で添加する必要がある。
このようなことから、吸収性物品に抗菌剤を含ませた構成が提案されている（特許文献１、２）。
【先行技術文献】
【特許文献】
【０００３】
【特許文献１】特開２００１−２５８９２９
【特許文献２】特表平０９−５０９８７０
【発明の概要】
【発明が解決しようとする課題】
【０００４】
しかしながら、上記した、吸収性物品は、吸収性物品を構成するトップシートや吸収層全体に抗菌剤を分散させているため、匂いの原因となる菌の発育を阻害するために必要なＭＩＣ (Minimum Inhibitory Concentration：最小発育阻止濃度、菌の発育を阻止できる最小の濃度)以上の濃度を確保するには、相当量の抗菌剤を添加する必要がある。ところが、一般に抗菌活性物質は高価であるため、その使用量が多くなるとコストアップに繋がる。
従って本発明は、抗菌剤の使用量が少なくても十分な抗菌効果を発揮することができ、低コストの吸収性物品の提供を目的とする。
【課題を解決するための手段】
【０００５】
本発明者らは、抗菌剤の抗菌効果として、十分な濃度の抗菌剤を被処理物質に含ませれば、その被処理物質の周囲にハロー（阻止帯）が形成される現象に着目して本発明の完成に至った。ハロー効果は、抗菌剤が抗菌対象物に直接接触せずとも、近接していれば抗菌効果を発現するものである。従って、ハロー効果を利用することで、少量の抗菌剤で広い面積の抗菌効果を発揮することができ、二次消臭が有効に得られることが判明した。また、抗菌剤の使用量を低減することで、着用者の皮膚への刺激を少なくすることもできる。
【０００６】
上記課題を解決するため、本発明の吸収性物品は、液体透過性の親水性表面シートと、高吸水性樹脂を含む吸収層と、液体不透過性のバックシートとをこの順で積層してなる吸水性物品本体部を備え、さらに、複数の開口部が形成されているか、又は周囲に比べて繊維量が５０質量％未満の低密度部が形成されて抗菌剤を含む抗菌活性シートを含む。
この吸収性物品によれば、抗菌活性シートの開口部又は低密度部の部分の抗菌剤が不要となり、抗菌剤の使用量を低減することができる。又、開口部又は低密度部以外の部分に存在する抗菌剤のハロー効果によって開口部又は低密度部にも抗菌効果を及ぼすことができ、少量の抗菌剤で広い面積の抗菌効果を発揮することができ、二次消臭が有効に得られる。また、抗菌剤の使用量を低減することで、着用者の皮膚への刺激を少なくすることもできる。
【０００７】
前記抗菌活性シートの前記開口部又は前記低密度部の内部に前記吸収層が充填され、前記抗菌活性シートが前記吸収層と一体になっていてもよい。
前記抗菌活性シートの前記開口部又は前記低密度部の円相当直径が0.5〜80mm2であることが好ましい。
抗菌活性シートの全面積に対する前記開口部又は前記低密度部の面積の割合で定義される開口面積率が10%以上であることが好ましい
【発明の効果】
【０００８】
この発明によれば、抗菌剤の使用量が少なくても十分な抗菌効果を発揮することができ、低コストの吸収性物品が得られる。
【図面の簡単な説明】
【０００９】
【図１】本発明の第１の実施形態に係る吸収性物品（パンツ型紙おむつ）の外観図である。
【図２】図１のＡ−Ａ線に沿う吸水性物品本体部の断面図である。
【図３】抗菌活性シートの斜視図である。
【図４】別の抗菌活性シートの斜視図である。
【図５】本発明の第２の実施形態に係る吸水性物品本体部２５の断面図である。
【図６】吸収層の斜視図である。
【図７】尿取りパッド形状の吸収性物品を示す斜視図である。
【発明を実施するための形態】
【００１０】
以下、本発明の実施形態に係る吸収性物品について説明する。
図１は、本発明の第１の実施形態に係る吸収性物品（パンツ型紙おむつ）２００の外観図である。吸収性物品２００は、吸水性を有する吸水性物品本体部２０と、吸水性物品本体部２０を内部に保持してパンツ形状をなす外装体１００とを備えている。
外装体１００には、ポリプロピレン、ポリエステル、ポリエチレン等の熱可塑性樹脂からなり、スパンボンドやエアースルー製法で製造された不織布を用いることができる。又、外装体１００は、少なくとも外装シートと内装シートとを有する２枚以上のシートを積層して構成することが好ましい。
吸水性物品本体部２０は細長く、長手方向中央部付近がやや幅狭になっていて、吸収性物品２００の股間に配置されている。
【００１１】
図２は、図１のＡ−Ａ線に沿う吸水性物品本体部２０の断面図である。吸水性物品本体部２０は、身体接触側表面(図２の上面)を形成する液透過性の親水性表面シート（トップシート）２と、液不透過性のバックシート６と、親水性表面シート２とバックシート６の間に配置され、高吸水性樹脂と接着剤とを有する吸収層４と、を含んで構成されている。又、親水性表面シート２と吸収層４との間には、抗菌活性シート１０が配置されている。さらに、吸水性物品本体部２０の両側部が撥水性のサイドシートからなる立体ギャザー３０として立ち上がって尿等の横漏れを防止する。
なお、１つの吸水性物品本体部２０につき、抗菌活性シート１０は１枚設けてもよく、複数枚を設けることもできる。
【００１２】
親水性表面シート２は不織布からなり、着用者の皮膚に接するため、感触が柔らかで、皮膚に刺激を与えない材料から形成されるとよい。親水性表面シート２は、ポリプロピレン、ポリエチレン、ポリエステルなどの合成繊維による、エアースルー不織布、ポイントボンド不織布、スパンボンド不織布、スパンレース不織布などが使用できる。特に液戻り量の少ないエアースルー不織布が好適である。
バックシート６は、吸水性物品本体部２０内において保持している液体などが下着に漏れないような防水性を有する液不透過性の材料から形成されていればよく、通気性のポリエチレンフィルムなどの薄いプラスチックフィルムとすることができる。また、バックシート６として透湿性のフィルムを用い、ムレを低減してもよい。
【００１３】
吸収層４は、木材フラッフパルプのような親水性繊維（フラッフ）と、高吸水性樹脂（ＳＡＰ）の粒子とを混合して形成することができる。また、ＳＡＰをシート状とした、いわゆるＳＡＰシートを使用してもよい。親水性繊維としては、木材パルプフラッフの代わりに、合成繊維、ポリマー繊維などを使用してもよい。また、親水性繊維として抗菌性の繊維を配合しても良い。
抗菌活性シート１０による抗菌効果を吸収層４の全体に生じさせることができるよう、吸収層４の厚さは、抗菌活性シート１０の１枚当たり１５ｍｍ以下とすることが好ましく、１０ｍｍ以下とすることがより好ましい。又、吸収層４全体の質量に占めるＳＡＰの質量比を３０％以上とすることが好ましい。
吸収層４にエンボスを施すと、尿等の拡散を向上させるとともに吸収層４が薄くなり、人体への装着性も向上する。さらに、抗菌活性シート１０と吸収層４とを隣接して積層し、両者を同時にエンボスすることにより、吸水性物品本体部２０の保形性が改善され着用時の尿漏れ改善効果も期待できる。
吸収層４の厚さは、尾崎製作所製のダイヤルシックネスゲージ「ＰＥＡＣＯＣＫ」を使用して測定する。測定においては、測定荷重２５０ｇｆ、測定子直径３０ｍｍで１秒間に1ｍｍ以下の速度で下ろしたときのゲージの値を読み取る。
【００１４】
図３は、抗菌活性シート１０の斜視図である。抗菌活性シート１０は複数の開口部１０ａと、開口部１０ａの間の無孔部１０ｂと、を有している。開口部１０ａは、抗菌活性シート１０を打ち抜いて形成することができる。又、スパンレース法等で抗菌活性シート１０を形成する場合、ウォータージェットワイヤーパターンにより開口部１０ａを形成することができる。
このように、開口部１０ａを有する抗菌活性シート１０に抗菌剤を含ませることで、開口部１０ａの部分の抗菌剤が不要となり、抗菌剤の使用量を低減することができる。又、開口部１０ａの間の無孔部１０ｂに存在する抗菌剤のハロー効果によって開口部１０ａにも抗菌効果を及ぼすことができ、少量の抗菌剤で広い面積の抗菌効果を発揮することができ、二次消臭が有効に得られる。また、抗菌剤の使用量を低減することで、着用者の皮膚への刺激を少なくすることもできる。
【００１５】
抗菌剤による肌への刺激を最小限に抑え、抗菌活性シート１０が肌へ直接接触しないようにするため、吸水性物品本体部２０の親水性表面シート２よりも下側（肌との反対側）に抗菌活性シート１０を配置することが好ましい。また、消臭を効果的に行うためには、抗菌活性シート１０が吸収層４に近接していることが好ましい。このため、親水性表面シート２と吸収層４との間に抗菌活性シート１０を介装することが好ましい。
【００１６】
抗菌活性シート１０を繊維により構成する場合は、綿等の種子毛繊維、木質パルプ繊維、マニラ麻、バガス等の非木質繊維、レーヨン、ポリノジック、キュプラ、リヨセル等の再生セルロース繊維、ナイロン、アラミド等ポリアミド繊維、ポリエチレンテレフタレート等ポリエステル繊維、ポリエチレン、ポリプロピレン等オレフィン系繊維、ポリアクリロニトリル等アクリル繊維、ポリビニルアルコール繊維、ポリウレタン繊維等の一般的な繊維が使用できる。
これらの繊維をシートに形成する方法としては、抄紙法、乾式カード法を利用したケミカルボンド法・スパンレース法・サーマルボンド法・ニードルパンチ法、エアレイド法、湿式スパンレース法、スパンボンド法・メルトブロー法等の連続紡糸法等が利用できる。
抗菌活性シート１０をフィルム素材で構成する場合は、ポリエチレン、ポリプロピレン等のポリオレフィン樹脂フィルム；ポリエチレンテレフタレート等のポリエステル樹脂フィルム；セロファン等のセルロース系フィルム；等の一般的なフィルムが利用できる。
【００１７】
抗菌剤は、安息香酸及びその塩類；塩酸アルキルジアミノエチルグリシン、クロルクレゾール、ソルビン酸及びその塩類；サリチル酸及びその塩類；デヒドロ酢酸及びその塩類；トリクロロヒドロキシジフェニルエーテル(別名トリクロサン)；パラオキシ安息香酸エステル及びそのナトリウム塩；フェノキシエタノール、レゾルシン、亜鉛・アンモニア・銀複合置換型ゼオライト、イソプロピルメチルフェノール、塩化セチルピリジニウム、塩化ベンザルコニウム、塩化ベンゼトニウム、塩酸クロルヘキシジン、銀―銅ゼオライト、オルトフェニルフェノール、グルコン酸クロルヘキシジン、メチルイソチアゾリノン、グルコン酸クロルヘキシジン、パラクロルフェノール、ヒノキチオール等の公知の抗菌剤を利用できる。
又、抗菌剤は、対象となる細菌に応じて適宜、１種又は２種以上組み合わせて使用される。
抗菌活性シート１０への抗菌剤の添加量は、抗菌剤の種類によって異なるが、好ましくは各薬剤のＭＩＣ (Minimum Inhibitory Concentration；最小発育阻止濃度、菌の発育を阻止できる最小の濃度)以上の濃度となるように添加することが好ましい。
【００１８】
抗菌活性シート１０に抗菌剤を含ませる方法としては、シートに塗布又は噴霧等の２次加工により抗菌剤を添加する方法が挙げられる。塗布又は噴霧の方法としてはダイレクトグラビアコーター、オフセットグラビアコーター、スロットダイコーター、ブレードコーター、キスコーター等の接触式のコーター；スプレーコーター、カーテンコーター等の被接触式のコーター；又はディッピング等の含浸方式が挙げられる。
又、抗菌剤を繊維又はフィルム基材中に練り込み等の方法で添加し、抗菌活性シート１０を形成することもできる。
【００１９】
図３に示した抗菌活性シートに代えて、図４に示す抗菌活性シート１２を用いることもできる。図４は抗菌活性シート１２の断面図である。抗菌活性シート１２は、繊維量が多い高密度部１２ｂと、高密度部１２ｂの周囲に形成されて高密度部１２ｂに比べて繊維量が５０質量％未満の低密度部１２ａとを有している。低密度部１２ａは開口部１０ａに相当し、開口部１０ａと同様に抗菌活性シート１２全体にそれぞれ離間して複数配置されている。又、高密度部１２ｂは低密度部１２ａよりも厚くなっている。
抗菌活性シート１２は、製造時の繊維配列にパターン状に繊維の粗密部を設けた不織布により形成することができる。
抗菌活性シート１２においては、抗菌剤が高密度部１２ｂよりも低密度部１２ａで少なくなり、抗菌活性シート１２全体で抗菌剤の使用量を低減することができる。又、高密度部１２ｂに存在する抗菌剤のハロー効果によって低密度部１２ａにも抗菌効果を及ぼすことができ、少量の抗菌剤で広い面積の抗菌効果を発揮することができ、二次消臭が有効に得られる。また、抗菌剤の使用量を低減することで、着用者の皮膚への刺激を少なくすることもできる。
なお、高密度部１２ｂに比べて低密度部１２ａの繊維量が５０質量％以上になると、抗菌剤の使用量を十分に低減することが困難な場合がある。
【００２０】
開口部１０ａ又は低密度部１２ａの円相当直径が0.5〜80mm2であることが好ましい。開口部１０ａ又は低密度部１２ａの円相当直径が0.5mm2未満であると、抗菌剤の使用量を十分に低減することが困難な場合がある。一方、開口部１０ａ又は低密度部１２ａの円相当直径が80mm2を超えると、ハロー効果が不足し、抗菌効果を十分に発揮することが困難な場合がある。
抗菌活性シート１０の全面積に対する開口部１０ａ又は低密度部１２ａの面積の割合で定義される開口面積率が10%以上であることが好ましい。開口面積率が10%未満であると、抗菌剤の使用量を十分に低減することが困難な場合がある。開口面積率の上限は、例えば50%とすることができる。開口面積率が50%を超えると、ハロー効果が不足し、抗菌効果を十分に発揮することが困難な場合がある。
【００２１】
次に、図５、図６を参照し、本発明の第２の実施形態に係る吸収性物品について説明する。なお、第２の実施形態に係る吸収性物品は、吸水性物品本体部の構成が異なること以外は第１の実施形態と同一であるので、同一部分について同一符号を付して説明を省略する。
図５は吸水性物品本体部２５の断面図であり、図２に相当する。吸水性物品本体部２５において、親水性表面シート２とバックシート６の間に吸収層１５が配置され、吸収層１５は抗菌活性シートと一体になっている。
図６は、吸収層１５の斜視図である。吸収層１５は、抗菌活性シート１６と、吸収層本体部１７とを有する。抗菌活性シート１６は図３の抗菌活性シート１０と同一であり、複数の開口部１６ａと、開口部１６ａの間の無孔部１６ｂと、を有している。そして、開口部１６ａの内部に吸収層本体部１７が充填され、抗菌活性シート１６が吸収層１５と一体になっている。
なお、吸収層本体部１７はＳＡＰと親水性繊維とを含む。そして、吸収層１５を形成する際には、積繊機の積繊ドラム上に抗菌活性シート１６を供給し、抗菌活性シート１６の開口部１６ａを介して親水性繊維（木材フラッフ等）の解繊繊維を吸引して、抗菌活性シート１６上に解繊維繊を積層させると共に、開口部１６ａ内に解繊維繊を充填させる。
このように、抗菌活性シート１６が吸収層１５と一体になっていると、尿等の流動性排泄物の吸収拡散速度が向上する。
【００２２】
本発明は上記した実施形態に限定されず、本発明の思想と範囲に含まれる様々な変形及び均等物に及ぶことはいうまでもない。
例えば、吸収性物品は、上記したパンツ型紙おむつに限定されず、テープ止め紙おむつ、尿取りパッド、軽失禁パッドなどの形態としてもよい。
図７は、尿取りパッド形状の吸収性物品２１０を示す。吸収性物品２１０は、第１の実施形態に係る吸収性物品２００の吸収性物品本体部２０と同一の構成を有しているので、同一部分に同一符号を付して説明を省略する。
なお、第１の実施形態に係る吸収性物品２００の吸収性物品本体部２０の上に吸収性物品２１０を取り付け、両者を併用してもよい。
【実施例】
【００２３】
以下、実施例を挙げて、本発明を具体的に説明するが、本発明は勿論これらの例に限定されるものではない。
図１〜図４に示すパンツ型紙おむつ状の吸収性物品２００を準備した。
抗菌活性シート１０は、ＰＥ／ＰＰ複合繊維からなるエアースルータイプ（坪量２０ｇ/ｍ２）不織布シートに丸孔を複数打ち抜いて開口部１０ａを形成して製造した。
抗菌活性シート１２は、ＰＥ／ＰＰ複合繊維から不織布のウエブ形成時に、繊維の粗密部（高密度部１２ｂ及び低密度部１２ａ）を交互に形成させて製造した。
そして、これら不織布の両面にダイレクトグラビアコーターにより、抗菌剤として塩化ベンザルコニウムの０．１ｗｔ％水溶液を１０ｇ/ｍ2塗布後に乾燥させ、上述の抗菌活性シート１０、１２を得た。
吸収層４は、ＳＡＰ配合比を４０質量％とし、残部を木材フラッフとし、厚さを８ｍｍとした。
そして、抗菌活性シート１０、１２を親水性表面シート２とトップシートと吸収層４の間に積層して吸収性物品２００を製造した。吸収性物品２００につき、ガスバック法により消臭性の評価を行い、比較例と同等であれば良好（Ａ）とした。コストの評価は、抗菌活性シートへの抗菌剤の塗布量が比較例よりも１５％以上削減された場合を良好（○）とし、比較例を×とした。
【００２４】
得られた結果を表１に示す。
【００２５】
【表１】
2014158509.tif 000003
【００２６】
表１から明らかなように、開口部又は低密度部を有する抗菌活性シートを吸収性物品に備えた各実施例の場合、抗菌剤の使用量を少なくしてコストを低下させると共に、十分な抗菌効果を発揮することができた。
一方、開口部又は低密度部を有さない抗菌活性シートを吸収性物品に備えた比較例の場合、抗菌剤の使用量が増えてコストアップとなった。
【符号の説明】
【００２７】
２  親水性表面シート
４、１５  吸収層
６  バックシート
２０、２５  吸水性物品本体部
１０、１２  抗菌活性シート
１０ａ  開口部
１２ａ  低密度部
２００、２１０  吸水性物品
【図１】
2014158509.tif 000004
【図２】
2014158509.tif 000005
【図３】
2014158509.tif 000006
【図４】
2014158509.tif 000007
【図５】
2014158509.tif 000008
【図６】
2014158509.tif 000009
【図７】
2014158509.tif 000010